(57)【要約】【目的】放送受信機能及び携帯通話機能を搭載した携帯型視聴装置において、放送受信障害を軽減することを目的とする。【構成】携帯型視聴装置２は、地上波ディジタル放送を受信して映像及び／又は音声を出力する機能（チューナ２３０等）と、電波を送受信することにより通話を行う機能（携帯電話部２３１）とを備える。ＣＰＵ２０９はテレビ受信（テレビ視聴，テレビ録画）に際して携帯電話部２３１に留守番登録モードを実行するよう指令を出す。この指令によって携帯電話部２３１はネットワークに対して通信を行いセンターに留守番登録モードの実行を要請する。【選択図】　　　　　　　　図２
2004112370.tif 000002
【特許請求の範囲】
【請求項１】
テレビ放送波を受信して映像を出力する放送受信手段と、電波を送受信することにより通話を行う携帯通話手段と、を備えた携帯型視聴装置において、テレビ放送視聴時に携帯通話手段にて着信が生じたとき、通話により画像に影響が生じることがある旨の警告メッセージを表示する手段を備えたことを特徴とする携帯型視聴装置。
【請求項２】
テレビ放送波を受信して映像を出力する放送受信手段と、電波を送受信することにより通話を行う携帯通話手段と、を備えた携帯型視聴装置において、テレビ放送視聴を行う際に留守番登録モードとするための通信処理を自動実行する手段を備えたことを特徴とする携帯型視聴装置。
【請求項３】
テレビ放送波を受信して映像を出力する放送受信手段と、電波を送受信することにより通話を行う携帯通話手段と、を備えた携帯型視聴装置において、テレビ放送視聴を行う際に留守番登録モードを実行するかどうかを問うメッセージを表示し、留守番登録モードを選択する旨のユーザ操作があった場合に留守番登録モードとするための通信処理を自動実行する手段を備えたことを特徴とする携帯型視聴装置。
【請求項４】
請求項２又は請求項３に記載の携帯型視聴装置において、テレビ放送視聴を停止した際に留守番登録モードを解除するための通信処理を自動的に行うように構成されたことを特徴とする携帯型視聴装置。
【請求項５】
請求項２又は請求項３に記載の携帯型視聴装置において、テレビ放送視聴を停止した際に留守番登録モードを解除するかどうかを問うメッセージを表示し、留守番登録モードを解除する旨のユーザ操作があったときに留守番登録モードを解除するための通信処理を行うように構成されたことを特徴とする携帯型視聴装置。
【請求項６】
請求項１乃至請求項５のいずれかに記載の携帯型視聴装置において、テレビ放送受信映像を録画する録画手段を備え、前述したテレビ放送視聴に際して行う処理を録画に際しても行うように構成されたことを特徴とする携帯型視聴装置。
【発明の詳細な説明】
【０００１】
【産業上の利用分野】
この発明は、放送受信によるテレビ視聴及び携帯通話機能による通話が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ　Ｐｉｃｔｕｒｅ　Ｅｘｐｅｒｔｓ　Ｇｒｏｕｐ４）に基づいた符号化映像データをメモリカードに記録し、このメモリカードを携帯型視聴装置のスロットに装填することにより、外出先でも録画映像を楽しむことができるようになっている。また、地上波を用いたディジタル放送が予定されており、小型のディジタル放送受信チューナを搭載して携帯型テレビ視聴装置とすることができる。そして、近年においては、携帯電話やＰＨＳ電話が広く普及しており、携帯可能な筐体内にこれら携帯通話機能と放送受信機能を搭載して携帯型視聴装置とすることが考えられる。
【０００３】
なお、従来装置としては、テレビ放送視聴中の電話着信の際、電話受信と番組録画制御を行うものがある（特許文献１参照）。
【０００４】
【特許文献１】
特開２００１−３３９６４８号
【０００５】
【発明が解決しようとする課題】
しかしながら、携帯電話やＰＨＳ電話は図４に示すような着信シーケンスを実行し、通話実行のために電波を送出する。この電波はテレビ放送電波の周波数とは異なるものの、携帯通話機能ユニットと放送受信機能ユニットとは近接して存在することになるため、テレビ放送受信に障害を与えるおそれがある。
【０００６】
この発明は、上記の事情に鑑み、放送受信機能及び携帯通話機能を搭載した携帯型視聴装置において、放送受信障害を軽減することを目的とする。
【０００７】
【課題を解決するための手段】
この発明の携帯型視聴装置は、上記課題を解決するために、テレビ放送波を受信して映像を出力する放送受信手段と、電波を送受信することにより通話を行う携帯通話手段と、を備えた携帯型視聴装置において、テレビ放送視聴時に携帯通話手段にて着信が生じたとき、通話により画像に影響が生じることがある旨の警告メッセージを表示する手段を備えたことを特徴とする。
【０００８】
上記の構成であれば、通話により画像に影響が生じることがある旨の警告メッセージによってユーザに注意が喚起され、携帯通話手段における応答操作を行わないことを選択することで放送受信障害は軽減される。
【０００９】
また、この発明の携帯型視聴装置は、テレビ放送波を受信して映像を出力する放送受信手段と、電波を送受信することにより通話を行う携帯通話手段と、を備えた携帯型視聴装置において、テレビ放送視聴を行う際に留守番登録モードとするための通信処理を自動実行する手段を備えたことを特徴とする。
【００１０】
また、この発明の携帯型視聴装置は、テレビ放送波を受信して映像を出力する放送受信手段と、電波を送受信することにより通話を行う携帯通話手段と、を備えた携帯型視聴装置において、テレビ放送視聴を行う際に留守番登録モードを実行するかどうかを問うメッセージを表示し、留守番登録モードを選択する旨のユーザ操作があった場合に留守番登録モードとするための通信処理を自動実行する手段を備えたことを特徴とする。
【００１１】
これらの構成であれば、留守番登録モードの実行によって、テレビ放送視聴中には携帯通話手段による電波の送出が極力避けられることになり、放送受信障害が軽減されることになる。
【００１２】
テレビ放送視聴を停止した際に留守番登録モードを解除するための通信処理を自動的に行うように構成されていてもよい。或いは、テレビ放送視聴を停止した際に留守番登録モードを解除するかどうかを問うメッセージを表示し、留守番登録モードを解除する旨のユーザ操作があったときに留守番登録モードを解除するための通信処理を行うように構成されていてれよい。
【００１３】
また、テレビ放送受信映像を録画する録画手段を備え、前述したテレビ放送視聴に際して行う処理を録画に際しても行うように構成されているのがよい。
【００１４】
【発明の実施の形態】
以下、この発明の実施形態を図１乃至図３に基づいて説明する。なお、この実施形態ではテレビ放送として地上波ディジタル放送を受信する構成を例示することとする。
【００１５】
図１に示すように、携帯型視聴装置２は例えば、縦長で偏平な形状を有しており、電池により駆動される。携帯型視聴装置２は、地上波ディジタル放送を受信し、映像を液晶表示パネル２０２上に映し出すとともに、音声をイヤホン２０３から出力する。また、スロット２０１に差し込まれたメモリカードから符号化映像・音声データを読み出し、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）やテンキー等については、筐体部に設けている。
【００１６】
携帯型視聴装置２の回路構成を図２に基づいて詳しく説明していく。メモリカード３に格納されているＭＰＥＧ４ビットストリームデータ（符号化映像・音声データ）は、ＰＣＭＣＩＡインターフェイス２２０、及びシステムバス２１３を経てＭＰＥＧ４デコーダ２０４に供給される。また、内蔵メモリであるＳＤＲＡＭ２１９に格納されているＭＰＥＧ４ビットストリームデータは、システムバス２１３を経てＭＰＥＧ４デコーダ２０４に供給される。そして、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３やＳＤＲＡＭ２１９への記録のためにシステムバス２１３に供給したりする。ＭＰＥＧ４デコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。
【００１７】
グラフィックスコントローラ２０５は、映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面、メッセージ画面等）を液晶表示パネル２０２に表示する処理も行う。オーディオデコーダ２０６はビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００１８】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００１９】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２０】
本体キー２１４は先述した視聴に関する操作ボタン（プレイ／ポーズ、ストップ、送り）等に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２１】
また、無線ネットワークを可能にするために、通信ブロック２１６及びインターフェイス（例えば、Ｂｌｕｅｔｏｏｔｈ　（商標）など）２１７が設けられている。更に、ＦｌａｓｈＲＯＭ２１８やＳＤＲＡＭ２１９も備える。電池２２１は二次電池であり、図示しない据置型周辺装置から電力の供給を得てこれを蓄える。携帯電話部２３１は、通常の電話のために用いることとしている。
【００２２】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御などを行うようになっている。
【００２３】
また、ＣＰＵ２０９は、この発明にかかる処理として、以下に述べる処理を行うようになっている。
【００２４】
▲１▼メニュー画面における「ＴＶ受信時電話設定」の項目がユーザ操作で選択されたとき、「視聴時設定」「録画時設定」「終了時設定」といった項目を表示する。そして、「視聴時設定」が選択されたときには、図３（ａ）に例示しているメッセージを画面表示すべく、グラフィックスコントローラ２０５に文字出力等の指令を与える。そして、ユーザによる選択内容を記憶する。
▲２▼図３（ａ）の「する」がユーザによって選択された場合には、テレビ視聴に際して携帯電話部２３１に留守番登録モードを実行するよう指令を出す。この指令によって携帯電話部２３１はネットワークに対して通信を行いセンターに留守番登録モードの実行を要請する。なお、視聴予約においては予約実行時の少し前のときに留守番登録モードを実行してもよい。
▲３▼図３（ａ）の「しない」がユーザによって選択されたときには、携帯電話部２３１に対する留守番登録モード実行指令は出さない。この実施形態では、「しない」がユーザによって選択された場合において、テレビ受信時にＣＰＵ２０９が携帯電話部２３１から着信通知を受けたときには、図３（ｂ）に例示する警告メッセージを画面表示すべく、グラフィックスコントローラ２０５に文字出力等の指令を与える。なお、この警告メッセージ表示を「する」「しない」の選択が行えるようにしておいてもよい。
▲４▼図３（ａ）の「確認メッセージを出す」がユーザによって選択されたときには、テレビ視聴を行う際に留守番登録モードを実行するかどうかを問うメッセージを表示すべく、グラフィックスコントローラ２０５に文字出力等の指令を与える。留守番登録モードを選択する旨のユーザ操作があったときには、前述の「する」における処理と同様の処理を実行する。
【００２５】
▲５▼ＣＰＵ２０９は、「録画時設定」が選択されたときも、上記の▲１▼〜▲４▼と同様の処理を行う。なお、「録画時設定」を無くし、「視聴時設定」の内容を録画時設定にそのまま当てはめるように構成してもよい。
【００２６】
▲６▼ＣＰＵ２０９は、「終了時設定」が選択されたとき、図３（ｃ）に例示するメッセージを画面を表示すべく、グラフィックスコントローラ２０５に文字出力等の指令を与える。そして、ユーザによる選択内容を記憶する。「終了時設定」は前記の留守番登録モードが選択されたときに有効となるようにしている。
▲７▼図３（ｃ）の「自動留守録解除」が選択された場合、テレビ視聴終了や録画終了に際して携帯電話部２３１に留守番登録モードを解除するよう指令を出す。この指令によって携帯電話部２３１はネットワークに対して通信を行いセンターに留守番登録モードの解除を要請する。
▲８▼図３（ｃ）の「確認メッセージを出す」がユーザによって選択されたときには、テレビ視聴終了や録画終了に際して留守番登録モードを解除するかどうかを問うメッセージを表示すべく、グラフィックスコントローラ２０５に文字出力等の指令を与える。留守番登録モードを解除する旨のユーザ操作があったときには、前述の解除処理と同様の処理を実行する。
【００２７】
以上説明したように、留守番登録モードの実行によって、テレビ放送の視聴中や録画中には携帯電話部２３１による電波の送出が極力避けられることになり、放送受信障害が軽減されることになる。また、留守番登録モードを実行しない場合でも、電話着信時に通話により画像に影響が生じることがある旨の警告メッセージを表示する構成であれば、この警告メッセージによってユーザに注意が喚起され、携帯電話部２３１における応答操作を行わないことを選択することで放送受信障害はなくなる。
【００２８】
【発明の効果】
以上説明したように、この発明によれば、放送受信機能及び携帯通話機能を搭載した携帯型視聴装置において、受信障害を軽減できるという効果を奏する。
【図面の簡単な説明】
【図１】この発明の実施形態の携帯型視聴装置を示した外観斜視図である。
【図２】この発明の実施形態の携帯型視聴装置のブロック図である。
【図３】この発明の実施形態の携帯型視聴装置におけるメニュー画面及びメッセージ画面を示した説明図である。
【図４】携帯電話部における通話シーケンスを示した説明図である。
【符号の説明】
２　　　　携帯型視聴装置
２０２　　液晶表示パネル
２０４　　ＭＰＥＧ４デコーダ
２１９　　ＳＤＲＡＭ
２３０　　地上波ディジタルチューナ
２３１　　携帯電話部
３　　　　メモリカード
４　　　　ＰＨＳデータカード
【図１】
2004112370.tif 000003
【図２】
2004112370.tif 000004
【図３】
2004112370.tif 000005
【図４】
2004112370.tif 000006